(57)【要約】液体化粧料塗布容器（１）を構成する蓋体（８）内に内装される密閉機構である内キャップ（１３）内に固持される塗布具（１６）を、開閉機構である釦部（１７）の脚部（１７ａ）に当接する突起ピン（１７ｂ）により、該内キャップ（１３）の側面に穿設され、内周にＯリング（１４）を具える貫通孔（１３ａ）を通して押勢自在として開閉させるので、該ボタンへの押圧又は開放により塗布具が開閉して睫毛を挟持しつつ液体化粧料を塗布することができるとともに、該貫通孔では突起ピンとＯリングとが常に密着しているので、塗布容器本体と蓋体が一体に密嵌されていれば、液体化粧料塗布容器内の密閉性は維持され、液体化粧料の品質の低下や外部への漏出を防止できる。
2008072585.tif 000002
【特許請求の範囲】
【請求項１】
液体化粧料を貯留する塗布容器本体と、蓋体に設けられた後記穴部を介しての空気の流通を防止して、その内部の密閉性を保持する密閉機構を内装するとともに、開閉自在となる二本の保持軸からなる塗布具の根元部を該密閉機構内において固持し、更に該密閉機構内においてその根元部を固持された前記塗布具を開閉させてなる開閉機構を具える蓋体から構成され、
該密閉機構は、後記釦部と保持軸との間において押勢力を伝達する圧力伝達媒体を有し、
該塗布具は、閉合して一体となることで被塗布物を挟持可能とする塗布体を形成してなる塗布体片を該保持軸の先端に各々具え、
該開閉機構は、蓋体側面に穿設された穴部に対して出没自在となる釦部による前記圧力伝達媒体を介しての保持軸への押勢と、該塗布具の二本の保持軸の間に介装されるスプリングの弾撥力によって、塗布具を開閉自在とするものであり、
該開閉機構の釦部を押圧することで、該釦部の脚部が圧力伝達媒体を介して塗布具の保持軸を押勢し、該スプリングが圧縮されて塗布具が閉合され、又、該釦部への押圧を停止することで、該スプリングの伸張によって、塗布具の閉合が開放されることを特徴とする液体化粧料塗布容器。
【請求項２】
上記蓋体に内装する密閉機構は、一端を封止する円筒体の内キャップであって、その側周面に穿設する貫通孔には、その内周面に設けられた弾性体のＯリング内を内外方向に出没自在とする突起ピンを具えるとともに、該貫通孔よりも開口部側において蓋体の内壁に密嵌してなり、
上記開閉機構の釦部の脚部の裏面を前記突起ピンに当接させた上、
該釦部を押圧することで、突起ピンが内キャップの貫通孔の内周面に設けられたＯリングに表面を密着させながら没入して、該突起ピンを介して塗布具の保持軸を押勢し、該スプリングが圧縮されて塗布具が閉合され、又、該釦部への押圧を停止することで、該スプリングの伸張によって、塗布具の閉合が開放されることを特徴とする請求の範囲第１項記載の液体化粧料塗布容器。
【請求項３】
上記蓋体に内装する密閉機構は、一端を封止する円筒体の内キャップと該内キャップに外装される固定パイプとの間に、円筒体であって、内キャップと同方向に一端を封止するとともに、他端には前記固定パイプと係合する鍔部を形成し、更にその側周面には蓋体の内径方向に変形自在となる変形部を配設する可撓筒を挟持しつつ一体に固持するものとした上、該可撓筒に配設する変形部に対応して、固定パイプ及び内キャップに穿設した穴部を具え、更に前記鍔部を蓋体の内壁に密嵌してなり、
上記開閉機構の釦部の脚部を前記固定パイプの穴部に挿入した上、
該釦部を押圧することで、該釦部の脚部が可撓筒の変形部を押圧して変形させて、該変形部を介して塗布具の保持軸を押勢し、該スプリングが圧縮されて塗布具が閉合され、又、該釦部への押圧を停止することで、該スプリングの伸張によって、塗布具の閉合が開放されることを特徴とする請求の範囲第１項記載の液体化粧料塗布容器。
【請求項４】
上記釦部の脚部側面に凹陥部を有し、押圧して塗布具を閉合した状態で、穴部内に没入した脚部の凹陥部が穴部端縁と係合自在となる釦部を有することを特徴とする上記請求の範囲第１項〜第３項記載の液体化粧料塗布容器。
【請求項５】
上記一体となって塗布体を形成する二本の保持軸の先端に各々具えられる塗布体片において、その組合せを、
一方の塗布体片は、螺旋状刷毛体に形成され、他方の塗布体片は、前記一方の塗布体片を形成する螺旋状刷毛体に沿って、外接する平板状の切歯面を形成してなるものとし、あるいは、一方の塗布体片は、螺旋状刷毛体に形成され、他方の塗布体片は、前記一方の塗布体片を形成する螺旋状刷毛体の表面に沿って密着する湾曲面を形成してなるものとし、あるいは一方の塗布体片は、略円柱状のフロッキーチップに形成され、他方の塗布体片は、前記一方の塗布体片を形成する円柱状のフロッキーチップの表面に沿って密着する湾曲面を形成してなるものとすることを特徴とする上記請求の範囲第１項〜第４項記載の液体化粧料塗布容器。
【請求項６】
上記一体となって塗布体を形成する二本の保持軸の先端に各々具えられる塗布体片において、その組合せを、
両塗布体片の全体形状において、一方の塗布体片は、該保持軸の軸方向に睫毛の形状に合わせて湾曲し、他方の塗布体片は、前記一方の塗布体片の湾曲に沿うように湾曲するものであり、または上記両塗布体片が逆方向に互いにその形状に合わせて湾曲してなるもののいずれかであるものとし、
更に上記両塗布体片の全体形状に対して、両塗布体片の各々の表面形状を、一方の塗布体片は周縁に複数の環状突起を軸方向に並設し、他方の塗布体片はその環状突起と係合する複数の周縁溝を軸方向に並設してなるもの、または一方の塗布体片は切歯面を軸方向に設け、他方の塗布体片は成形ブラシを配設してなるもの、または両塗布体片はいずれも複数の周縁溝、成形ブラシ、あるいは切歯面を設けてなるものとし、
そして、上記両塗布体片の全体形状及びそれに対する表面形状の組合せに対して、両塗布体片の各々の断面形状を、方形状と円形状あるいは楕円形状、または両塗布体片が一体となって円形状あるいは楕円形状となり、且つ該両塗布体片間の互いに対向する面が平面あるいはいずれかの塗布体片方向に湾曲する湾曲面であることを特徴とする上記請求の範囲第１項〜第４項記載の液体化粧料塗布容器。
【請求項７】
上記一体となって塗布体を形成する二本の保持軸の先端に各々具えられる塗布体片において、その組合せを、
両塗布体片の全体形状において、両塗布体片は、直線状であるものとし、
更に上記両塗布体片の全体形状に対して、両塗布体片の各々の表面形状を、一方の塗布体片は周縁に複数の環状突起を軸方向に並設し、他方の塗布体片はその環状突起と係合する複数の周縁溝を軸方向に並設してなるもの、または一方の塗布体片は切歯面を軸方向に設け、他方の塗布体片は成形ブラシを配設してなるもの、または両塗布体片はいずれも複数の周縁溝、成形ブラシ、あるいは切歯面を設けてなるものとし、
そして、上記両塗布体片の全体形状及びそれに対する表面形状の組合せに対して、両塗布体片の各々の断面形状を、方形状と円形状あるいは楕円形状、または両塗布体片が一体となって円形状あるいは楕円形状となり、且つ該両塗布体片間の互いに対向する面が平面あるいはいずれかの塗布体片方向に湾曲する湾曲面であることを特徴とする上記請求の範囲第１項〜第４項記載の液体化粧料塗布容器。
【請求項８】
上記一体となって塗布体を形成する二本の保持軸の先端に各々具えられる塗布体片において、その組合せを、
いずれも、少なくともその対向する表面に複数の周縁溝を軸方向に並設して係合自在としてなるものとすることを特徴とする上記請求の範囲第１項〜第４項記載の液体化粧料塗布容器。
【請求項９】
両塗布体片の全体形状において、一方の塗布体片は、該保持軸の軸方向に睫毛の形状に合わせて湾曲し、他方の塗布体片は、前記一方の塗布体片の湾曲に沿うように湾曲するものであり、または上記両塗布体片が逆方向に互いにその形状に合わせて湾曲してなるもののいずれかであることを特徴とする上記第８項記載の液体化粧料塗布容器。
【請求項１０】
上記一体となって塗布体を形成する二本の保持軸の先端に各々具えられる塗布体片のうち少なくとも一方において、対向する塗布体片表面の反対側に櫛部を形成してなる上記請求の範囲第１項〜第９項記載の液体化粧料塗布容器。
【発明の詳細な説明】
【技術分野】
【０００１】
本願発明は、例えばマスカラ等の液体化粧料を塗布する際に使用する塗布体を具える液体化粧料塗布容器に関するものである。
【背景技術】
【０００２】
従来より、例えばマスカラ等の液体化粧料を貯留する液体化粧料塗布容器において具える塗布体は、睫毛全体に満遍なく液体化粧料を塗布できるように、塗布体を分割して睫毛を挟持可能とした上で、該塗布体により睫毛を挟持しつつ、毛先方向へ扱くよう塗布してなるものが提案されている。
例えば、液体化粧料塗布容器の蓋体に具える塗布体を、一端にはその外周に螺旋状の溝を形成するとともに長手方向に凹入溝を配設する液保持部を、他端には該凹入溝に嵌入する押さえ部とをそれぞれ設けた上、弾性を持って開閉自在となるようにＵ字状またはＶ次状としてなるものがある（実開昭６２−７３８１３号）。
しかしながら、上記液体化粧料塗布容器では、塗布体により睫毛を挟持させるために必要とする操作が親指と人差し指によって塗布体間を狭めるようにして行うため、指による入力方向がずれ易いものである。そのため、睫毛を挟持する塗布体の位置もずれ易くなり睫毛の挟持が困難となったり、目蓋などを汚損してしまうおそれがある。
そこで、塗布体による睫毛の挟持及び塗布を容易且つ確実に行えるようにするとともに、他所を汚損することも防止できるように、蓋体において、先端に刷子部を有する軸棒が垂下形成されるとともに、一端が蓋体内に固着されながら常時軸棒から離れる方向に付勢されている押さえ棒と、蓋体内外を連通し前記押さえ棒と常時接するボタン部材を設け、該ボタン部材の押圧と開放によって押さえ棒と軸棒が接離自在となるものがある（実開昭６２−３０７１４号）。
しかしながら当該従来のものは、睫毛を挟持するために必要とする動作は、ボタン部材への押圧だけで足りるので、簡易な操作により確実に睫毛を挟持することができるものの、そのボタン部材が蓋体内外を連通していることから、蓋体内部の密閉性が損なわれる、すなわち蓋体を容器本体に密嵌した際に、蓋体に設けられた当該ボタン部材周辺から蓋体内外に空気の流通が生じてしまうことになる。その結果、密閉性が損なわれたままで長時間放置されると、容器本体内の液体化粧料の品質の低下や、場合によっては外部への漏出を招来してしまうものである。
【発明の開示】
【０００３】
解決しようとする問題点は、簡易な操作により睫毛を挟持してより確実に液体化粧料の塗布を行えるようにするとともに、液体化粧料塗布容器内の密閉性を維持して液体化粧料の品質の低下や外部への漏出を防止することである。
そのため、第１の特徴として、液体化粧料を貯留する塗布容器本体と、蓋体に設けられた後記穴部を介しての空気の流通を防止して、その内部の密閉性を保持する密閉機構を内装するとともに、開閉自在となる二本の保持軸からなる塗布具の根元部を該密閉機構内において固持し、更に該密閉機構内においてその根元部を固持される該塗布具を開閉させてなる開閉機構を具える蓋体から構成され、該密閉機構は、後記釦部と保持軸との間において押勢力を伝達する圧力伝達媒体を有し、該塗布具は、閉合して一体となることで被塗布物を挟持可能とする塗布体を形成してなる塗布体片を該保持軸の先端に各々具え、該開閉機構は、蓋体側面に穿設された穴部に対して出没自在となる釦部による前記圧力伝達媒体を介しての保持軸への押勢と、該塗布具の二本の保持軸の間に介装されるスプリングの弾撥力によって、塗布具を開閉自在とするものであり、該開閉機構の釦部を押圧することで、該釦部の脚部が圧力伝達媒体を介して塗布具の保持軸を押勢し、該スプリングが圧縮されて塗布具が閉合され、又、該釦部への押圧を停止することで、該スプリングの伸張によって、塗布具の閉合が開放されるものである。このため、塗布容器本体より蓋体を取り外した後、釦部を押圧することで、該釦部の脚部が密閉機構を構成する圧力伝達媒体を介して密閉機構内の塗布具の保持軸を押勢することで、保持軸間に介装されたスプリングが圧縮されて塗布具を閉合するので、他所を汚損することなく、塗布体をなす塗布体片間に睫毛を容易に挟持させて、確実にマスカラなどの液体化粧料を塗布することができる。更に、開閉機構を構成する釦部が、直接に保持軸を押勢するのではなく、密閉機構を構成する圧力伝達媒体を介して押勢していることから、塗布容器本体と蓋体とを一体に密嵌していれば、蓋体の穴部と釦部との間に存する空間（隙間）からの空気の流通が該圧力伝達媒体を含む密閉機構によって遮断されるため、該密閉機構により液体化粧料塗布容器内における密閉性の低下が防止でき、液体化粧料の品質の低下や外部への漏出を防止できる。
第２の特徴として、第１の特徴を踏まえて、上記蓋体に内装する密閉機構は、一端を封止する円筒体の内キャップであって、その側周面に穿設する貫通孔には、その内周面に設けられた弾性体のＯリング内を内外方向に出没自在とする突起ピンを具えるとともに、該貫通孔よりも開口部側において蓋体の内壁に密嵌してなり、上記開閉機構の釦部の脚部裏面を前記突起ピンに当接させた上、該釦部を押圧することで、突起ピンが内キャップの貫通孔の内周面に設けられたＯリングに表面を密着させながら没入して、該突起ピンを介して塗布具の保持軸を押勢し、該スプリングが圧縮されて塗布具が閉合され、又、該釦部への押圧を停止することで、該スプリングの伸張によって、塗布具の閉合が開放されるものである。このため、釦部を押圧することで、該釦部の脚部裏面に当接された突起ピンが、内キャップの貫通孔に没入して、密閉機構である内キャップ内においてその根元部が固持される塗布体の保持軸を押勢し、保持軸間に介装されたスプリングが圧縮されて塗布具が閉合するので、他所を汚損することなく、塗布体をなす塗布体片間に睫毛を容易に挟持させて、確実にマスカラ等の液体化粧料を塗布することができる。更に、開閉機構を構成する釦部が直接に保持軸を押勢するのではなく、該保持軸を直接押勢する突起ピンが、密閉機構を構成する内キャップに穿設された貫通孔の内周に具えられたＯリングにその表面を密着させていることから、該内キャップが貫通孔よりも開口部側において蓋体の内壁に密嵌していることと相まって、塗布容器本体と蓋体とを一体に密嵌していれば、蓋体の穴部と釦部との間に存する空間（隙間）からの空気の流通が、該Ｏリング及び突起ピンを含む密閉機構によって遮断されるため、該密閉機構により液体化粧料塗布容器内における密閉性の低下が防止でき、液体化粧料の品質の低下や外部への漏出を防止できる。
第３の特徴として、第１の特徴を踏まえて、上記蓋体に内装する密閉機構は、一端を封止する円筒体の内キャップと該内キャップに外装される固定パイプとの間に、円筒体であって、内キャップと同方向に一端を封止するとともに、他端には前記固定パイプと係合する鍔部を形成し、更にその側周面には蓋体の内径方向に変形自在となる変形部を配設する可撓筒を挟持しつつ一体に固持するものとした上、該可撓筒に配設する変形部に対応して、固定パイプ及び内キャップに穿設した穴部を具え、更に前記鍔部を蓋体の内壁に密嵌してなり、上記開閉機構の釦部の脚部を前記固定パイプの穴部に挿入した上、該釦部を押圧することで、該釦部の脚部が可撓筒の変形部を押圧して変形させて、該変形部を介して塗布具の保持軸を押勢し、該スプリングが圧縮されて塗布具が閉合され、又、該釦部への押圧を停止することで、該スプリングの伸張によって、塗布具の閉合が開放されるものである。このため、釦部を押圧することで、該釦部の脚部が可撓筒の変形部を変形させた上、内キャップの穴部を介して、密閉機構を構成する内キャップ内においてその根元部が固持される塗布具の保持軸を押勢し、保持軸間に介装されたスプリングが圧縮されて塗布具が閉合するので、他所を汚損することなく、容易に塗布体をなす塗布体片間に睫毛を挟持させることができるとともに、確実にマスカラ等の液体化粧料を塗布することができる。なお、可撓筒の変形部は、当該部分を薄肉化することにより弾性を持たせて、釦部の脚部の押勢により容易に変形するようにしてなるものであるが、より大きく変形するように、可撓筒とは別体の材質である弾性材を変形部として新たに接合するものであってもよい。更に、蓋体に内装される密閉機構を構成する可撓筒は、内キャップと固定パイプとに挟持されると共に、尾栓により長手方向に押さえられていることから、釦部の脚部により可撓筒の変形部が押勢されて変形しても、蓋体の内壁に密嵌された可撓筒の鍔部がその内壁面から離れることはなく、内キャップ内の密閉性は維持されるものである。その結果、塗布容器本体と蓋体とを一体に密嵌していれば、蓋体の穴部と釦部との間に存する空間（隙間）からの空気の流通が、可撓筒及び内キャップという密閉機構によって遮断されるため、該密閉機構により液体化粧料塗布容器内における密閉性の低下が防止でき、液体化粧料の品質の低下や外部への漏出を防止できる。
第４の特徴として、上記第１〜第３の特徴を踏まえて、上記釦部の脚部側面に凹陥部を有し、押圧して塗布具を閉合した状態で、穴部内に没入した脚部の凹陥部が穴部端縁と係合自在となる釦部を有するものである。このため、上記釦部の脚部において開口部を有する凹陥部を形成するものであって、該釦部を押圧して塗布具を閉合した状態で、釦部の脚部の凹陥部と穴部周縁とが係合するので、塗布具は閉合状態で保持されたままとなり、塗布容器本体に対して蓋体を脱着する際に、他所を汚損することなく簡易且つ確実に塗布体を出し入れすることができることとなる。又、塗布具を閉合した状態で保持しうることから、二本の保持軸に具えられた各塗布体片を閉合して塗布体として使用する際には、釦部を指で押圧し続ける必要がなくなり、塗布具の操作性が向上することとなる。
第５の特徴として、上記第１〜第４の特徴を踏まえて、上記一体となって塗布体を形成する二本の保持軸の先端に各々具えられる塗布体片において、その組合せを、一方の塗布体片は、螺旋状刷毛体に形成され、他方の塗布体片は、前記一方の塗布体片を形成する螺旋状刷毛体に沿って、外接する平板状の切歯面を形成してなるものとし、あるいは、一方の塗布体片は、螺旋状刷毛体に形成され、他方の塗布体片は、前記一方の塗布体片を形成する螺旋状刷毛体の表面に沿って密着する湾曲面を形成してなるものとし、あるいは、一方の塗布体片は、略円柱状のフロッキーチップに形成され、他方の塗布体片は、前記一方の塗布体片を形成する円柱状のフロッキーチップの表面に沿って密着する湾曲面を形成してなるものである。また第６の特徴として、上記第１〜第４の特徴を踏まえて、上記一体となって塗布体を形成する二本の保持軸の先端に各々具えられる塗布体片において、その組合せを、両塗布体片の全体形状において、一方の塗布体片は、該保持軸の軸方向に睫毛の形状に合わせて湾曲し、他方の塗布体片は、前記一方の塗布体片の湾曲に沿うように湾曲するものであり、または上記両塗布体片が逆方向に互いにその形状に合わせて湾曲してなるもののいずれかであるものとし、更に上記両塗布体片の全体形状に対して、両塗布体片の各々の表面形状を、一方の塗布体片は周縁に複数の環状突起を軸方向に並設し、他方の塗布体片はその環状突起と係合する複数の周縁溝を軸方向に並設してなるもの、または一方の塗布体片は切歯面を軸方向に設け、他方の塗布体片は成形ブラシを配設してなるもの、または両塗布体片はいずれも複数の周縁溝、成形ブラシ、あるいは切歯面を設けてなるものである。そして、上記両塗布体片の全体形状及びそれに対する表面形状の組合せに対して、両塗布体片の各々の断面形状を、方形状と円形状あるいは楕円形状、または両塗布体片が一体となって円形状あるいは楕円形状となり、且つ該両塗布体片間の互いに対向する面が平面あるいはいずれかの塗布体片方向に湾曲する湾曲面とすることが特に好ましく、ただし該両塗布体片間の互いに対向する面は、重なり合っていれば平面や湾曲面だけではなく、一方の対向する面を凸状、他方の対向する面を凹状〔第１２図（Ａ）〕、一方の対向する面を半円突状、他方の対向する面を半円凹陥状〔第１２図（Ｂ）〕、一方の対向する面を逆Ｖ次突状、他方の対向する面を逆Ｖ字凹陥状〔第１２図（Ｃ）〕、一方の対向する面を山状、他方の対向する面を谷状〔第１２図（Ｄ）〕、又は一方の対向する面を波状突起状、他方の対向する面を波状凹陥状〔第１２図（Ｅ）〕等でも利用できるものである。その上、第７の特徴として、上記第１〜第４の特徴を踏まえて、上記一体となって塗布体を形成する二本の保持軸の先端に各々具えられる塗布体片において、その組合せを、両塗布体片の全体形状において、両塗布体片は、直線状であるものとし、更に上記両塗布体片の全体形状に対して、両塗布体片の各々の表面形状を、一方の塗布体片は周縁に複数の環状突起を軸方向に並設し、他方の塗布体片はその環状突起と係合する複数の周縁溝を軸方向に並設してなるもの、または一方の塗布体片は切歯面を軸方向に設け、他方の塗布体片は成形ブラシを配設してなるもの、または両塗布体片はいずれも複数の周縁溝、成形ブラシ、あるいは切歯面を設けてなるものである。そして、上記両塗布体片の全体形状及びそれに対する表面形状の組合せに対して、両塗布体片の各々の断面形状を、方形状と円形状あるいは楕円形状、または両塗布体片が一体となって円形状あるいは楕円形状となり、且つ該両塗布体片間の互いに対向する面が平面あるいはいずれかの塗布体片方向に湾曲する湾曲面とすることが特に好ましいものである。ただし、該両塗布体片間の互いに対向する面は、重なり合っていれば平面や湾曲面だけではなく、一方の対向する面を凸状、他方の対向する面を凹状〔第１２図（Ａ）〕、一方の対向する面を半円突状、他方の対向する面を半円凹陥状〔第１２図（Ｂ）〕、一方の対向する面を逆Ｖ字突状、他方の対向する面を逆Ｖ字凹陥状〔第１２図（Ｃ）〕、一方の対向する面を山状、他方の対向する面を谷状〔第１２図（Ｄ）参照〕、又は一方の対向する面を波状突起状、他方の対向する面を波状凹陥状〔第１２図（Ｅ）〕等でも利用できる。以上のように、一体となって塗布体をなす塗布体片について全体形状、表面形状及び断面形状の点から考え得る多数の組合せを用意することで、睫毛に対して使用者の思うように液体化粧料をより確実に塗布することができる。即ち、具体的には一方の塗布体片は、螺旋状刷毛体に形成され、他方の塗布体片は、前記一方の塗布体片を形成する螺旋状刷毛体に沿って、外接する平板状の切歯面を形成してなるものとすることで、閉合した塗布具により睫毛を挟持して化粧料を塗布する際に、螺旋状刷毛体が睫毛の一本一本をほぐしながら、その各睫毛に対して満遍なく液体化粧料を塗布することができる。また、一方の塗布体片は、螺旋状刷毛体に形成され、他方の塗布体片は、前記一方の塗布体片を形成する螺旋状刷毛体の表面に沿って密着する湾曲面を形成してなるものとすることで、閉合した塗布具により睫毛を挟持して化粧料を塗布する際に、螺旋状刷毛体が睫毛の一本一本をほぐしながら、その各睫毛に対して満遍なく液体化粧料を塗布することができる上、他方の塗布体片の湾曲面によって、その各睫毛の全長に亘って螺旋状刷毛体に当接させることができるので、その塗布作業の回数を減らすことができる。また、一方の塗布体片は、略円柱状のフロッキーチップに形成され、他方の塗布体片は、前記一方の塗布体片を形成する円柱状のフロッキーチップの表面に沿って密着する湾曲面を形成してなるものとすることで、塗布具を閉合して睫毛を挟持した際、フロッキーチップに大量に蓄えられた液体化粧料を厚く睫毛に塗布することができる。
その上、上記一体となって塗布体を形成する二本の保持軸の先端に各々具えられる塗布体片を、両塗布体片の全体形状において、一方の塗布体片は、該保持軸の軸方向に睫毛の形状に合わせて湾曲し、他方の塗布体片は、前記一方の塗布体片の湾曲に沿うように湾曲するものであり、または上記両塗布体片が逆方向に互いにその形状に合わせて湾曲してなるもののいずれかとすることで、閉合した塗布具により上下いずれの睫毛を挟持して化粧料を塗布する際にも、一度に睫毛全体を確実に挟持することができ、睫毛の方向を整えながら、その挟持された睫毛に対して液体化粧料をより確実に塗布することができる。また、両塗布体片の全体形状において、両塗布体片は、直線状であるものとすることで、閉合した塗布具により睫毛を挟持して液体化粧料を塗布する際、特に睫毛の一部でも簡易且つ確実に挟持することができ、その挟持した一部の睫毛に対して液体化粧料をより確実に塗布することができる。そして、上記両塗布体の全体形状に対して、上記両塗布体片の各々の表面形状を、一方の塗布体片は周縁に複数の環状突起を軸方向に並設し、他方の塗布体片はその環状突起と係合する複数の周縁溝を軸方向に並設してなるものとすることで、睫毛全体を確実に環状突起と周縁溝との間に挟持することができ、睫毛の方向を整えながら、その挟持された睫毛に対して液体化粧料を塗布できるものであり、または、一方の塗布体片は切歯面を軸方向に設け、他方の塗布体片は成形ブラシを配設してなるものとすることで、成形ブラシにより睫毛の方向が整えられながら、複数の溝に貯留した液体化粧料が成形ブラシにより睫毛に対して均一に塗布することができ、または、両塗布体片のいずれにも複数の周縁溝を設けることで睫毛を該周縁溝間に挟持した際、周縁溝間に貯留する液体化粧料を睫毛の表面に厚く塗布することができ、または、成形ブラシを設けることで、該成形ブラシにより睫毛を細かくした上で該成形ブラシ間に貯留する液体化粧料を均一に塗布でき、または、切歯面を設けることで、液体化粧料の塗布に際して不要な液体化粧料を扱きつつ薄く塗布し、それと同時に睫毛の方向を整えることができるものとなる。なお、上記両塗布体片の各々の表面形状の組合せにおいて、一方の塗布体片は、周縁に複数の環状突起を軸方向に並設し、他方の塗布体片は、その環状突起と係合する複数の周縁溝を軸方向に並設してなるものの場合、他方の塗布体片に並設される該周縁溝はその間に液体化粧料を貯留するので、該他方の塗布体片を下側に位置させると、該塗布体片の全周にわたり存在する周縁溝のうち一方の塗布体片とは対向しない面に並設される周縁溝から余分の液体化粧料が滴下し周囲を汚損させる恐れがある。そのため、塗布容器本体より保持軸を取り出した際に過剰の液体化粧料が付着しないように、該他方の塗布体片の周縁溝を、一方の塗布体片に対向する面のみに限定して並設するものとしても良いものである。
そして、上記両塗布体片の全体形状及びそれに対する表面形状の組合せに対して、該両塗布体片の各々の断面形状を、方形状と円形状あるいは楕円形状とすることで、両塗布体片の当接面が小さくなって該当接面での圧力が強くなり、両塗布体片は睫毛を強固且つ確実に把持できるので、睫毛に対してカール等を付ける際には簡易且つ確実に行うことができるものとなり、または、両塗布体片が一体となって円形状又は楕円形状となり、且つ該両塗布体片間の互いに対向する面が平面であると、両塗布体片の当接面は広くなるので液体化粧料を一度に満遍なく睫毛に塗布することができ、または、いずれかの塗布体片方向に湾曲する湾曲面であると、両塗布体片は挟持した睫毛に対して液体化粧料を一度に満遍なく睫毛に塗布することができると共に、睫毛に対して自動的にカール等を付けることができる。以上より、特に第９図及び第１０図において示す両塗布体片は、上述する両塗布体片の全体形状、表面形状及び断面形状を様々に組合せるものであるので、その作用効果は塗布体片の全体形状、表面形状及び断面形状において各々有する作用効果を組合せてなる複合的なものとなる。なお、上記一体となって塗布体を形成する二本の保持軸の先端に各々具えられる塗布体片においては一方は固定されており、他方は可動するものであるが、その位置関係は固定的ではなく、使用者の使い勝手により両塗布体片の位置関係を入れ替えて使用することができるものである。
第８の特徴として、上記第１〜第４の特徴を踏まえて、上記二本の保持軸の先端に各々具えられ、閉合して一体となることで被塗布物を挟持可能とする塗布体を形成してなる塗布体片のうち少なくとも一方において、対向する塗布体片表面の反対側に櫛部を形成してなるものである。
そのため、塗布具を閉合して睫毛に液体化粧料を塗布した結果、睫毛が互いに接着してしまった時には、該塗布体を形成する両塗布体片の内の、一方の塗布体片表面の反対側に形成される櫛部を睫毛に当てて梳かすことで、互いに接着してしまった睫毛を一本一本解きほぐすことができる。また、更に睫毛一本一本に対して大量の液体化粧料を塗布しようとする際には、該櫛部に大量の液体化粧料を貯留しうることから、該塗布体片の櫛部を睫毛に当てて梳かすことで、睫毛を一本一本真っ直ぐに伸ばしながら大量の液体化粧料を塗布することができる。
従って、本願発明は、液体化粧料を睫毛に塗布する際には、簡易な操作により塗布具を開閉させて塗布体間に睫毛を挟持することができるので、該塗布体間に睫毛を挟持したまま毛先方向へ扱くことで、液体化粧料をより確実に睫毛に塗布することができるとともに、塗布体片の少なくとも一方において、対向する塗布体片表面の反対側に櫛部を形成することで、睫毛を梳かして一本一本解きほぐすことができるほか、液体化粧料のより多様な塗布方法を実現することができる。更に、塗布容器本体と蓋体を一体に密嵌していれば、液体化粧料塗布容器内の密閉性を密閉機構により維持しているので、液体化粧料の品質の低下や外部への漏出を防止することができるという優れた効果を有するものである。
【図面の簡単な説明】
【０００４】
第１図は、本願発明の実施例１〜３の液体化粧料塗布容器の正面図、第２図は、本願発明の実施例１の液体化粧料塗布容器を示す縦断面図、第３図は、本願発明の実施例１の液体化粧料塗布容器における塗布具の作動状態を示す断面図、第４図は、本願発明の実施例１の液体化粧料塗布容器における塗布具の作動状態を示す、第３図のＡ−Ａ横断面図、第５図は、本願発明の実施例２の液体化粧料塗布容器を示す縦断面図、第６図は、本願発明の実施例２の液体化粧料塗布容器における塗布具の作動状態を示す縦断面図である。そして第７図は、本願発明の実施例２の液体化粧料塗布容器における塗布具の作動状態を示す、第６図のＢ−Ｂ横断面図、第８図は、本願発明の実施例１及び２において使用される塗布体の種類を示す図、第９図は、本願発明の実施例１及び２において使用される塗布体の種類を示す図、第１０図は、本願発明の実施例１及び２において使用される塗布体の種類を示す図、第１１図は、本願発明の実施例１及び２において使用される塗布体の断面の模式図、第１２図は、本願発明の実施例１及び２において使用される塗布体のその他の断面の模式図である。また第１３図は、本願発明の実施例３の液体化粧料塗布容器における塗布具の全体斜視図、第１４図は、本願発明の実施例３における保持軸の分解全体斜視図、第１５図は、本願発明の実施例３における塗布体片に設けられた周縁溝の係合状況を示す模式図、第１６図は、本願発明の実施例３における蓋体と釦部との分解斜視図、第１７図は、本願発明の実施例３における釦部の尾栓方向側からの拡大斜視図、第１８図は、本願発明の実施例３において使用される塗布体の種類を示す図、第１９図は、本願発明の実施例３において使用される塗布体の種類を示す図、及び第２０図は、本願発明の実施例３において使用される塗布体の種類を示す図である。
【発明を実施するための最良の形態】
【０００５】
本願発明をより詳細に説述するために、添付の図面に従ってこれを説明する。
【実施例１】
【０００６】
第１図〜第４図及び第８図〜第１２図において示される１は、本願発明の実施例１における液体化粧料塗布容器である。該液体化粧料塗布容器１は、外側面４に雄ねじ５を螺設する開口部３を有し、その内部にマスカラなどの液体化粧料７を貯留すると共に、後述する塗布具１６の表面に付着した過剰な液体化粧料７を掻き落とすためのしごき６を内装する塗布容器本体２と、一端では尾栓９を嵌着し、他端は該塗布容器本体２の開口部３の雄ねじ５と螺合する雌ねじ１２を内周面１１に螺設する開口部１０を有するものであって、その内部には、密閉機構を構成する内キャップ１３が密嵌され、該内キャップ１３内において、介在させるスプリング１５により開閉自在となる塗布具１６をその根元部において一体に固持するとともに、該塗布具１６の開閉を行う開閉機構である釦部１７を内装する蓋体８から構成されるものである。なお、上記実施例１においては、スプリング１５としてコイルバネが好ましい例として使用されているが、圧縮することで塗布具１６が閉合され、伸長により塗布具１６が開放されるものであれば、これに限らず使用することができ、例えば板バネ等を使用することもできる。
その上、該内キャップ１３内においてその根元部を固持される塗布具１６は、介在させるスプリング１５により開閉自在となるように軸着した二本の保持軸１９ａ、１９ｂからなり、該保持軸１９ａ、１９ｂの先端には、閉合して一体となることで被塗布物である睫毛を挟持可能とする塗布体２０を形成してなる塗布体片２１、２２が各々具えられる。なお、本願発明の実施例１では、塗布体２０を形成してなる塗布体片２１、２２は、第８図（Ｂ）に示す、一方の塗布体片２１は保持軸１９ａの先端に螺旋状刷毛体２１ｃを形成してなるものであり、他方の塗布体片２２は一方の塗布体片２１の保持軸１９ａの先端に形成される前記螺旋状刷毛体２１ｃの表面に沿って密着する湾曲面２２ｃを形成してなるものを用いている。しかしながら、使用者が希望する液体化粧料７の化粧方法に合わせて、上記塗布体片２１、２２の組合として以下のようにしてもよい。すなわち、一方の塗布体片２１は、螺旋状刷毛体２１ｂに形成され、他方の塗布体片２２は、前記一方の塗布体片２１を形成する螺旋状刷毛体２１ｂに沿って、外接する平板状の切歯面２２ｂを形成したものとするものであったり〔第８図（Ａ）〕、あるいは、一方の塗布体片２１は、略円柱状のフロッキーチップ２１ｄに形成され、他方の塗布体片２２は、前記一方の塗布体片２１を形成する円柱状のフロッキーチップ２１ｄの表面に沿って密着する湾曲面２２ｄを形成したものとするものであってもよい〔第８図（Ｃ）〕。その上、第９図〜第１２図において示すように、一体となって塗布体２０を形成する二本の保持軸１９ａ、１９ｂの先端に各々具えられる塗布体片２１、２２において、その組合せを、両塗布体片２１、２２の全体形状において、一方の塗布体片２１は、該保持軸の軸方向に睫毛の形状に合わせて湾曲し、他方の塗布体片２２は、前記一方の塗布体片２１の湾曲に沿うように湾曲するものであり〔第９図（Ａ）〜（Ｅ）左側〕、または上記両塗布体片２１、２２が逆方向に湾曲してなるもの〔第９図（Ａ）〜（Ｅ）右側〕のいずれか（第９図）、または両塗布体片２１，２２を直線状としてなるもの（第１０図）であって、更に上記両塗布体片２１、２２の全体形状に対して、両塗布体片２１、２２の各々の表面形状を、一方の塗布体片２１は周縁に複数の環状突起２１ａを軸方向に並設し、他方の塗布体片２２はその環状突起２１ａと係合する複数の周縁溝２２ａを軸方向に並設してなるもの〔第９図、第１０図の各（Ａ）〕、または一方の塗布体片２１は切歯面２２ｂを軸方向に設け、他方の塗布体片２２は成形ブラシ２６を配設してなるもの〔第９図、第１０図の各（Ｂ）〕、あるいは両塗布体片２１、２２はいずれも複数の周縁溝２２ａ、成形ブラシ２６〔第９図、第１０図の各（Ｄ）〕、あるいは切歯面２２ｂを設けてなるもの〔第９図、第１０図の各（Ｅ）〕とし、そして、上記両塗布体片２１、２２の全体形状及びそれに対する表面形状の組合せに対して、両塗布体片２１、２２の各々の断面形状を、方形状と円形状あるいは楕円形状〔第１１図（Ａ）〕、又は両塗布体片が一体となって円形状又は楕円形状となり、且つ該両塗布体片２１、２２間の互いに対向する面２１ｅ、２２ｅが平面〔第１１図（Ｂ）、（Ｄ）〕あるいはいずれかの塗布体片方向に湾曲する湾曲面とするもの〔第１１図（Ｃ）、（Ｅ）〕が特に好ましいものである。ただし、該両塗布体片２１、２２間の互いに対向する面２１ｅ、２２ｅは、重なり合っていれば平面や湾曲面だけではなく、一方の対向する面２１ｅを凸状、他方の対向する面２２ｅを凹状〔第１２図（Ａ）〕、一方の対向する面２１ｅを半円突状、他方の対向する面２２ｅを半円凹陥状〔第１２図（Ｂ）〕、一方の対向する面２１ｅを逆Ｖ字突状、他方の対向する面２２ｅを逆Ｖ字凹陥状〔第１２図（Ｃ）〕、一方の対向する面２１ｅを山状、他方の対向する面２２ｅを谷状〔第１２図（Ｄ）〕、又は一方の対向する面２１ｅを波状突起状、他方の対向する面２２ｅを波状凹陥状〔第１２図（Ｅ）〕等でも利用できる。
ここで、本願発明の実施例１における密閉機構の主要部は内キャップ１３であり、該内キャップ１３は、一端を封止する円筒体形状であって、蓋体８に内装されて、その開口部側端部は外側へ向けて肉厚の鍔部１３ｂとなって、蓋体８の内壁に設けられた内キャップ受け８ｃと係合しつつ、蓋体８に密嵌されているとともに、その内部において塗布具１６の根元部を固持している。また、その側周面に穿設する貫通孔１３ａの内周面には、弾性体のＯリング１４を具えるものである。そして、該Ｏリング１４には、その表面に密着しながら出没自在となる突起ピン１７ｂが挿入されている。後述するように、この突起ピン１７ｂが釦部１７への押圧力を塗布具１６の保持軸１９ｂに伝達する圧力伝達媒体となる。一方、開閉機構は、蓋体８に穿設された穴部８ａより出没自在となる釦部１７と塗布具１６の二本の保持軸１９ａ、１９ｂの間に介装されたスプリング１５とからなり、釦部１７の脚部１７ａ裏面は前記突起ピン１７ｂに当接している。
そのため、釦部１７を押圧することで、該釦部１７の脚部１７ａ裏面に当接する突起ピン１７ｂは、内キャップ１３の貫通孔１３ａを通して塗布具１６をなす保持軸１９ｂに当接し押勢する。その結果、塗布具１６は、保持軸１９ａ、１９ｂ間に介装するスプリング１５を圧縮させつつ閉合する。このとき、該保持軸１９ａ、１９ｂの先端に各々具える塗布体片２１、２２は一体となって塗布体２０を形成する。また、該釦部１７を開放することで、該釦部１７の脚部１７ａ裏面に当接された突起ピン１７ｂによる保持軸１９ｂへの押勢が止められ、圧縮されていたスプリング１５は反発して伸長する。その結果、塗布具１６は、該保持軸１９ａ、１９ｂが互いに離脱して拡開する。このとき、一体となっていた塗布体２０は二つの塗布体片２１、２２に分割する。
そして、内キャップ１３内においてその根元部が固持される塗布具１６の開閉に際して、蓋体８の穴部８ａに対する釦部１７の出没に対応して、該内キャップ１３の貫通孔１３ａ内を突起ピン１７ａが出没しても、該突起ピン１７ａの表面は、貫通孔１３ａの内周面に具えられる弾性を有するＯリング１４により常時密着されるので、該貫通孔１３ａにおける内キャップ１３の密閉性を維持することができる。すなわち、釦部１７が蓋体８の穴部８ａを出没するためには、その両者の間にある程度の空間（隙間）が必要となり、その空間（隙間）が蓋体８内外に空気の流通を生じさせることとなる。しかし、内キャップ１３がその鍔部１３ｂにおいて蓋体８に密嵌されている上、内キャップ１３に設けられた貫通孔１３ａではＯリング１４を介して突起ピン１７ａが出入りすることから、前記穴部８ａの空間（隙間）から流通する空気は、内キャップ１３の内側と流通することがなく、蓋体８と塗布容器本体２とを密嵌した際に、前記穴部８ａの空間（隙間）を介しての塗布容器本体２内との空気の流通を防止することができる。
なお、この実施例１における蓋体８の開閉機構を構成する釦部１７の脚部１７ａの尾栓９方向側には、凹陥部１８が形成されている。この凹陥部１８は蓋体８の穴部周縁８ｂと係合しうるものであって、釦部１７を押圧して脚部１７ａを蓋体８の穴部８ａ内部に没入させるとともに、釦部１７を尾栓９方向に摺動させると、釦部１７の脚部１７ａの凹陥部１８と蓋体８の穴部周縁８ｂとが係合する。従って、該釦部１７は蓋体８の穴部８ａ内に没入状態で固定されることになるので、塗布具１６は閉合状態で保持されることになる。この結果、塗布容器本体２に対して、塗布具１６をその根元部において固持する蓋体８を脱着する際には、該塗布具１６が邪魔にならず容易に行うことができる。また、塗布具１６の使用に際しても、釦部１７の脚部１７ａの凹陥部１８と蓋体８の穴部周縁８ｂとを係合させた状態とすることで、二個の塗布体片２１，２２間に睫毛を挟持した状態を保持することができる。
実施例１の液体化粧料塗布容器１は以上の構成を具えるので、使用者が液体化粧料７を睫毛に塗布するにあたっては次のようにするものである。まず、使用者が液体化粧料塗布容器１において、塗布容器本体２と蓋体８との雄ねじ５と雌ねじ１２との螺合を解くことにより、蓋体８を塗布容器本体２から分離し、該蓋体８にその根元部において固持された塗布具１６を、内部に液体化粧料７を貯留する塗布容器本体２から引き抜くことができるようになる。その際、蓋体８に固持される塗布具１６の保持軸１９ａ、１９ｂ及び該保持軸１９ａ、１９ｂ先端に具えられ、一体となって塗布体２０を形成してなる塗布体片２１、２２に過剰な液体化粧料７が付着していても、塗布容器本体２内に内装されるしごき６により、過剰な液体化粧料７は除去されるものとなる。尚、塗布容器本体２に蓋体８を密嵌させた状態においては、塗布具１６の二本の保持軸１９ａ、１９ｂが閉合されていなくても、各保持軸１９ａ、１９ｂ先端の塗布体片２１、２２あるいは各保持軸１９ａ、１９ｂが塗布容器本体２の内壁面あるいはしごき６に当接した状態となっているだけであり、蓋体８を塗布容器本体２から分離しようとするに際し、塗布具１６を塗布容器本体２から引き抜くに従い、拡開されていた二本の保持軸１９ａ、１９ｂはその拡開幅を狭めて、塗布容器本体２に設けられたしごき６を通過することとなるが、しごき６を通過して開口部３の外部に至ると、その二本の保持軸１９ａ、１９ｂがスプリング１５の弾撥力によって急に拡開し、その各塗布体片２１，２２に付着していた液体化粧料７を周囲に撒き散らすおそれがあるため、釦部１７を押圧していなければならないことから、蓋体８と塗布容器本体２とを密嵌させた状態においては、前述したように釦部１７の脚部１７ａの凹陥部１８と蓋体８の穴部周縁８ｂとを係合させて、常に二本の保持軸１９ａ、１９ｂが閉合しているようにするのが望ましい。
そして、上記塗布容器本体２と分離させた蓋体８において、押圧された状態で固定されている釦部１７を尾栓９とは反対方向に摺動させつつ開放すると、該釦部１７の脚部１７ａ裏面に当接された突起ピン１７ｂによる保持軸１９ｂへの押勢が止められ、保持軸１９ａ、１９ｂ間に介装され、圧縮されていたスプリング１５が伸長し、保持軸１９ａ、１９ｂは互いに離脱するため塗布具１６は拡開し、一体であった塗布体２０は塗布体片２１、２２に分割する。そこで、分割した塗布体片２１、２２間に睫毛を位置させつつ、蓋体８の穴部８ａより突出した釦部１７を押圧することで、該釦部１７の脚部１７ａ裏面に当接した突起ピン１７ｂは、内キャップ１３の貫通孔１３ａの内周面に具えるＯリング１４ｂによってその表面を密着されつつ保持軸１９ｂを押勢する。その結果、保持軸１９ａ、１９ｂは介装するスプリング１５を圧縮しつつ閉合し、塗布体片２１、２２は一体となって塗布体２０を形成するため睫毛はその間に挟持される。なお、睫毛に対する保持軸１９ａ、１９ｂの位置関係は、通常可動側の保持軸１９ｂが上側、固定側の保持軸１９ａが下側となるが、使用者の都合により逆転してもよいものである。
その上で、該塗布体２０を睫毛の毛先方向へ扱くことで、睫毛の表面に液体化粧料７を塗布することができる。
一方、睫毛に対する液体化粧料７の塗布作業が終了した後は、釦部１７を押圧するとともに、尾栓９方向へ摺動させて、釦部１７の脚部１７ａ側面の凹陥部１８と蓋体８の穴部周縁８ｂとが係合した状態としておく。これにより、釦部１７の脚部１７ａ裏面に当接する突起ピン１７ｂが、内キャップ１３の貫通孔１３ａに没入して保持軸１９ｂを押勢した状態となり、塗布具１６は閉合された状態に保持される。そのため、塗布容器本体２と蓋体８とを容易に一体にし、塗布具１６を塗布容器本体２内に収納することができるものとなる。
以上のように、実施例１においては釦部１７が蓋体８に設けられる穴部８ａに対して出没自在となるだけでなく、蓋体８の軸方向に摺動自在となっていることから、蓋体８に設けられる穴部８ａと釦部１７の脚部１７ａとの間にはある程度の空間（隙間）が存在せざるをえない。この空間（隙間）から蓋体８の内外に空気の流通が生じるが、蓋体８内部に設けられる内キャップ１３が、その鍔部１３ｂによって蓋体８の内壁に密嵌されるとともに、内キャップ１３の側面に設けられた貫通孔１３ａには、Ｏリング１４とそれに常に密着して出没する突起ピン１７ｂとが設置されているため、内キャップ１３の内側は密閉された空間となり、前記空間（隙間）からの空気の流通を防止する。そのため、蓋体８を塗布容器本体２に密嵌した際に、蓋体８に設けられる穴部８ａに生じるこの空間（隙間）を介しての、内キャップ１３内外、すなわち当該内キャップ１３内は塗布容器本体２内部とも連通していることから、その内部空間全体と内キャップ１３外側との間の空気の流通を防止し、その内部の気密性を保持し、液体化粧料７の品質の低下や外部への漏出を防止できることとなる。
【実施例２】
【０００７】
第１図及び第５図〜第１２図に示す、本願発明の実施例２の液体化粧料塗布容器１’は、塗布容器本体２’における開口部３’、該開口部３’の外側面４’に螺設する雄ねじ５’及びしごき６’あるいは蓋体８’の開口部１０’の内周面１１’に螺設される雌ねじ１２’等の基本的構造及び、互いに軸着する二本の保持軸１９ａ’、１９ｂ’間にスプリング１５’を介装して開閉自在とする塗布具１６’の構造は、上記実施例１に示す液体化粧料塗布容器１に準じている。なお、上記実施例２においても、実施例１と同様にスプリング１５’としてコイルバネが好ましい例として使用されているが、圧縮することで塗布具１６’が閉合され、伸長により塗布具１６’が開放されるものであれば、これに限らず使用することができ、例えば板バネ等を使用することもできる。
又、本願発明の実施例２においても、実施例１と同様に、第８図（Ｂ）に示す、一方の塗布体片２１’は保持軸１９ａ’の先端に螺旋状刷毛体２１ｃ’を形成してなるものであり、他方の塗布体片２２’は一方の塗布体片２１’の保持軸１９ａ’の先端に形成される前記螺旋状刷毛体２１ｃ’の表面に沿って密着する湾曲面２２ｃ’を形成してなるものを用いている。しかしながら、使用者が希望する液体化粧料７の塗布状態に合わせて、実施例１と同様に、両塗布体片２１’、２２’を第８図（Ａ）又は（Ｃ）、更には第９図〜第１２図に示す組合せに代えることも可能である。
ここで実施例２における密閉機構は、一端を封止する円筒体の内キャップ１３’と該内キャップ１３’に外装される固定パイプ２３との間に、内キャップ１３’と同方向に一端を封止した円筒体の可撓筒２４を挟持したものである。そして、該内キャップ１３’の開口部側端部は、可撓筒２４及び固定パイプ２３よりも蓋体８’の開口部１０’側へ突出した上、外側へ向けて肉厚となった鍔部１３ｂ’となって、蓋体８’の内壁に設けられた内キャップ受け８ｃ’と係合しつつ、蓋体８’に密嵌されている。又、可撓筒２４においては、その開口部２４ｂ周縁にも外側へ向けて肉厚となった鍔部２４ｃが形成されるとともに、その側周面には、肉薄となって、蓋体８’の内径方向に変形自在となる変形部２４ａが配設されている。この可撓筒２４の鍔部２４ｃは、蓋体８’の内壁面に密嵌している。一方、固定パイプ２３と内キャップ１３’のそれぞれにおいて、この可撓筒２４の変形部２４ａに対応する位置に、穴部２３ａ、１３ａ’が穿設されており、この変形部２４ａが釦部１７’への押圧力を塗布具１６’の保持軸１９ｂ’に伝達する圧力伝達媒体となる。一方、開閉機構としては、蓋体８’の側周面に穿設された穴部８ａ’より出没自在となる釦部１７’と、塗布具１６’の二本の保持軸１９ａ’、１９ｂ’の間に介装されたスプリング１５’、並びに釦部１７’に近接した側の保持軸１９ｂ’に、可撓筒２４の変形部２４ａ方向に向かって突設された突起部２５からなり、釦部１７’の脚部１７ａ’裏面は、釦部１７’が押圧された際、前記可撓筒２４の変形部２４ａを介して、該突起部２５を押勢することとなる。
そのため、釦部１７’を押圧することで、該釦部１７’の脚部１７ａ’が、固定パイプ２３の穴部２３ａを通して可撓筒２４の変形部２４ａに当接して押勢し、該変形部２４ａを内径方向に変形させながら、更に内パイプ１３’の穴部１３ａ’を通して保持軸１９ｂ’の突起部２５を押勢することとなる。すなわち、釦部１７’の脚部１７ａ’が変形した変形部２４ａを介して保持軸１９ｂ’を間接的に押勢することとなる。その結果、塗布具１６’は保持軸１９ａ’、１９ｂ’間に介装するスプリング１５’を圧縮させつつ閉合する。従って、該保持軸１９ａ’、１９ｂ’の先端に各々具える塗布体片２１’、２２’は一体となって塗布体２０’を形成することとなる。
また、該釦部１７’を開放することで、該釦部１７’の脚部１７ａ’による変形部２４ａを介しての保持軸１９ｂ’への間接的な押勢が止められ、圧縮していたスプリング１５’は反発して伸長する。その結果、可撓筒２４の変形していた変形部２４ａは元の状態に復元し、塗布具１６’は、該保持軸１９ａ’、１９ｂ’が互いに離脱して拡開する。このとき、一体となっていた塗布体２０’は二つの塗布体２１’、２２’に分割する。
そして、内キャップ１３’内においてその根元部を固持される塗布具１６’の開閉に際して、蓋体８’の穴部８ａ’に対して釦部１７’が出没して、可撓筒２４の変形部２４ａを該釦部１７’の脚部１７ａ’が変形させても、該可撓筒２４の変形部２４ａは弾性を持って変形するだけで閉塞されている上、内キャップ１３’並びに可撓筒２４のいずれもが、その鍔部１３ｂ’、２４ｃにおいて蓋体８’の内壁面に密嵌していることから、該可撓筒２４内の内キャップ１３’に穴部１３’ａが穿設されていても、内キャップ１３’内の密閉性を維持することができる。
なお、この実施例２における液体化粧料塗布容器１’においても、実施例１と同様に、該釦部１７”の脚部１７ａ’側面に、尾栓９’方向に開口部を有する凹陥部を形成することにより、釦部１７’を押圧しつつ尾栓９’方向に摺動させることにより、該凹陥部と蓋体８’の穴部８ａ’周縁とを係合させることができる。これによって、釦部１７’は蓋体８’の穴部８ａ’内に没入した状態で固定されるので、塗布具１６’は閉合状態で保持されることになる。この結果、塗布容器本体２’に対して、塗布具１６’をその根元部において固持する蓋体８’を脱着する際には、その塗布具１６’が邪魔にならず容易に行うことができる。また、塗布具１６’の使用に際しても、釦部１７’の脚部１７ａ’の凹陥部と蓋体８’の穴部８ａ’周縁とを係合させた状態とすることで、二個の塗布体片２１’，２２’間に睫毛を挟持した状態を保持することができる。
実施例２における液体化粧料塗布容器１’は以上の構成を具えるので、使用者が液体化粧料７’を睫毛に塗布するにあたっては次のようにするものである。まず、使用者が液体化粧料塗布容器１’において、塗布容器本体２’と蓋体８’との雄ねじ５’と雌ねじ１２’との螺合を解くことにより、蓋体８’を塗布容器本体２’から分離し、該蓋体８’にその根元部において固持された塗布具１６’を、内部に液体化粧料７’を貯留する塗布容器本体２’から引き抜くことができるようになる。その際、該蓋体８’の釦部１７’を指で押圧することで、該釦部１７’の脚部１７ａ’裏面が固定パイプ２３の穴部２３ａを通して可撓筒２４の変形部２４ａを変形させ、更に内キャップ１３’の穴部１３ａ’を通って、該変形部２４ａを介して、塗布具１６’をなす保持軸１９ｂ’の突起部２５を押勢するので、二本の保持軸１９ａ’、１９ｂ’間に介装されたスプリング１５’の弾性により拡開していた該保持軸１９ａ’、１９ｂ’は閉合することとなる。そして、蓋体８’にその根元部を固持された塗布具１６’を塗布容器本体２’から引き抜くことで、塗布具１６’の保持軸１９ａ’、１９ｂ’及び該保持軸１９ａ’、１９ｂ’先端に具えられ、一体となって塗布体２０’を形成してなる塗布体片２１’、２２’に過剰な液体化粧料７’が付着していても、塗布容器本体２’内に内装されるしごき６’により過剰な液体化粧料７’は除去されるものとなる。
そして、上記塗布容器本体２’と分離させた蓋体８’において、指で押圧していた該蓋体８’の釦部１７’を再び開放すると、該釦部１７’の脚部１７ａ’による変形部２４ａを介する保持軸１９ｂ’の突起部２５への間接的な押勢が止められ、保持軸１９ａ’、１９ｂ’間に介装され、圧縮されていたスプリング１５’が伸長し、保持軸１９ａ’、１９ｂ’は互いに離脱するため塗布具１６’は拡開し、一体であった塗布体２０’は塗布体片２１’、２２’に分割する。そこで、分割した塗布体片２１’、２２’間に睫毛を位置させつつ、蓋体８’の穴部８ａ’より突出した釦部１７’を押圧することで、該釦部１７’の脚部１７ａ’裏面は、可撓筒２４の変形部２４ａを変形させ、更に該変形した変形部２４ａを介して保持軸１９ｂ’の突起部２５を押勢する。その結果、保持軸１９ａ’、１９ｂ’は介装するスプリング１５’を圧縮しつつ閉合し、塗布体片２１’、２２’は一体となって塗布体２０’を形成するため睫毛はその間に挟持される。なお、実施例１と同様に、睫毛に対する保持軸１９ａ’、１９ｂ’の位置関係は、使用者の都合によりいずれの保持軸１９ａ’、１９ｂ’が睫毛に対して上側となっても良いものである。その上で、該塗布体２０’を睫毛の毛先方向へ扱くことで、睫毛の表面に液体化粧料７’を塗布することができる。
一方、睫毛に対する液体化粧料７’の塗布作業が終了した後は、釦部１７’を押圧して蓋体８’の穴部８ａ’内に釦部１７’の脚部１７ａ’を没入させる。これにより、釦部１７’の脚部１７ａ’は、可撓筒２４の変形部２４ａの変形を介して間接的に保持軸１９ｂ’の突起部２５を押勢し、塗布具１６’の保持軸１９ａ’、１９ｂ’を閉合させる。そのため、塗布容器本体２’と蓋体８’とを容易に一体にし、塗布具１６’を塗布容器本体２’内に収納することができるものとなる。
以上のように、実施例２においても、釦部１７’が蓋体８’に設けられる穴部８ａ’に対して出没自在となっていることから、蓋体８’に設けられる穴部８ａ’と釦部１７’の脚部１７ａ’との間には幾分かの空間（隙間）が存在せざるをえない。この空間（隙間）から蓋体８’の内外に空気の流通が生じるが、蓋体８’内部に設けられる内キャップ１３’が、その鍔部１３ｂ’によって蓋体８’の内壁に密嵌されているとともに、可撓筒２４は、釦部１７’の脚部１７ａ’裏面による保持軸１９ｂ’の突起部２５に対する押勢に際して、その変形部２４ａを変形させるだけで、その開口部２４ｂ周縁の鍔部２４ｃが蓋体８’の内壁に密嵌されているので、内キャップ１３’の内側は密閉された空間となり、前記空間（隙間）からの空気の流通を防止する。そのため、蓋体８’を塗布容器本体２’に密嵌した際に、蓋体８’に設けられる穴部８ａ’に生じるこの空間（隙間）を介しての、内キャップ１３’内外、すなわち当該内キャップ１３’内は塗布容器本体２’内部とも連通していることから、その内部空間全体と内キャップ１３’外側との間の空気の流通を防止し、その内部の気密性を保持し、液体化粧料７’の品質の低下や外部への漏出を防止できることとなる。
【実施例３】
【０００８】
第１図、第１３図〜第２０図に示す、本願発明の実施例３の液体化粧料塗布容器１”は、塗布容器本体２”における開口部（図示せず）、該開口部の外側面に螺設する雄ねじ（図示せず）及びしごき（図示せず）、あるいは蓋体８”の開口部１０”の内周面１１”に螺設される雌ねじ１２”等の基本的構造及び、互いに軸着する二本の保持軸１９ａ”、１９ｂ”間にスプリングとしてコイルバネ（図示せず）を介装して開閉自在とする塗布具１６”の開閉機構、並びに蓋体８”の密閉機構等は、上記実施例１に示す液体化粧料塗布容器１に準じている。なお、この開閉機構並びに密閉機構については、実施例１に示した機構だけでなく、実施例２に示した機構に準じて構成することもできる。又、上記実施例３においても、実施例１及び実施例２と同様にスプリングとしてコイルバネが好ましい例として使用するものであるが、圧縮することで塗布具１６”が閉合され、伸長により塗布具１６”が開放されるものであれば、これに限らず使用することができ、例えば板バネ等を使用することもできる。
又、本願発明の実施例３においては、第１３図及び第１４図において示すように、両塗布体片２１”、２２”の全体形状は、一方の塗布体片２１”はその保持軸１９ａ”の軸方向に睫毛の形状に合わせて湾曲し、他方の塗布体片２２”は、その一方の塗布体片２１”の湾曲に沿うように湾曲している。そして、該一方の塗布体片２１”は保持軸１９ａ”の先端の、他方の塗布体片２２”に対向する面（表面）に複数の周縁溝３６を軸方向に並設してなり、又、同じく他方の塗布体片２２”は保持軸１９ｂ”の先端の、一方の塗布体片２１”に対向する面（表面）に、前記一方の塗布体片２１”を形成する周縁溝３６と係合する周縁溝３６’を軸方向に設けてなるものである上、前記一方の塗布体片２１”において、他方の塗布体片２２”と対向する面であって周縁溝３６を設けた面の反対側に櫛部２７を形成している。なお、使用者が希望する液体化粧料７”の塗布状態に合わせて、実施例１や２の場合と同様に、第１８図〜第２０図に示すように、両塗布体片２１”、２２”の全体形状において直線状としてもよく、又、両塗布体片２１”、２２”の各々の対向する表面形状を螺旋状刷毛体２１ｂ”と切歯面２２ｂ”を軸方向に設けたもの、螺旋状刷毛体２１ｃ”と湾曲面２２ｃ”、円柱状のフロッキーチップ２１ｄ”と湾曲面２２ｄ”との組合せ、あるいは複数の環状突起２１ａ”の軸方向への並設とそれに係合する複数の周縁溝２２ａ”を軸方向へ並設したもの、切歯面２２ｂ”を軸方向に設けたものと成形ブラシ２６”を配設してなるもの、あるいは両表面形状を成形ブラシ２６”としたり切歯面２２ｂ”としたりしたもの等、種々の組合せが可能である。
そして、該内キャップ（図示せず）内において、介在させるスプリングにより開閉自在となる二本の保持軸１９ａ”、１９ｂ”は、該保持軸１９ａ”、１９ｂ”の根元部に穿設した貫通孔に対してピンを貫通させることで回動自在に一体に軸着するものであっても良いが、第１４図において示すように保持軸１９ａ”、１９ｂ”を回動自在に一体に軸着するものが、組立が容易である。即ち先ず、上記一方の塗布体片２１”の保持軸１９ａ”の根元部２８において、該塗布体片２１”との設けられる側とは逆側に向けて開口するとともに、他方の塗布体片２２”の保持軸１９ｂ”側に向かって開口した切り欠き部２８ａを設ける。そして、該切り欠き部２８ａは、保持軸１９ａ”の軸方向に平行となる一対の係止壁２８ｂに挟まれてなり、又、該両係止壁２８ｂの内側には、後述する他方の保持軸１９ｂ”の根元部２８’に設けられる係合ピン２９を遊嵌してなる、下端を係止壁２８ｂ下端部において開放し、上端をＵ字形状として閉合した係止溝３０がそれぞれ対向する位置に溝設されている（尚、ここで言う上・下は、他方の保持軸１９ｂ”側を上、それに対向する側を下とする）。更に、該係止壁２８ｂより先端側の保持軸１９ａ”において広幅部３７が形成され、後述する他方の保持軸１９ｂ”に設けられた広幅部３７’と対向している。この両広幅部３７，３７’には、二本の保持軸１９ａ”、１９ｂ”を開閉自在とするコイルバネを設置するスプリング孔３８がそれぞれ穿たれている。次に、他方の塗布体片２２”の保持軸１９ｂ”の根元部２８’の手前に、当該保持軸１９ｂ”よりも広幅となる広幅部３７’が設けられた上、当該根元部２８’を、一方の保持軸１９ａ”の根元部２８に設けた前記切り欠き部２８ａに挿入しうるよう細幅とした上で、該保持軸１９ｂ”の左右方向に突出する円柱状の係合ピン２９が一体に形成されている。そこで、他方の保持軸１９ｂ”の細幅の根元部２８’を一方の保持軸１９ａ”の根元部２８の切り欠き部２８ａ内に、互いに９０°の角度で該切り欠き部２８ａの開口より挿入しつつ、他方の保持軸１９ｂ”の根元部２８’の係合ピン２９を一方の保持軸１９ａ”の根元部２８の係止溝３０内に遊嵌しつつ上端まで移動させた後、両保持軸１９ａ”、１９ｂ”を互いに閉合することで両者は回転自在に軸着するものとなる。なお、上記のようにして両保持軸１９ａ”、１９ｂ”を互いに閉合した際でも、第１５図に示すように、両塗布体片２１”、２２”を形成する、軸方向に並設された各周縁溝３６、３６’は互いに完全に噛合しないように設定されている。すなわち、両塗布体片２１”、２２”の各周縁溝３６、３６’が噛合した際にも、少なくとも一方の周縁溝３６には、平均的な睫毛３９一本の直径の１倍以上２倍未満の隙間（ｈ）が生じるように調整されている。この隙間（ｈ）の存在によって、塗布体２０”によって睫毛を挟持しつつ睫毛３９を扱くことにより、この隙間（ｈ）に貯留された液体化粧料７”が睫毛に塗布されることとなり、一本一本の睫毛３９に厚く液体化粧料７”を塗布することが可能となる。
ところで、上記両保持軸１９ａ”、１９ｂ”における軸着構造は、上記実施例１及び実施例２においても同様に適用できるものである。
更に、第１４図において示すように、開閉自在に軸着される上記保持軸１９ａ”、１９ｂ”の対向する表面には、該保持軸１９ａ”、１９ｂ”の閉合時において嵌合可能となる突条部３１及び凹陥部３２を各々形成するものである。従って、睫毛に液体化粧料を塗布するために保持軸１９ａ”、１９ｂ”を閉合すると、保持軸１９ａ”、１９ｂ”の対向する表面に各々形成される突条部３１及び凹陥部３２が嵌合する。その結果、使用者が塗布体２０”により睫毛を挟持した状態で該塗布体２０”を睫毛に沿って動かしても、両保持軸１９ａ”、１９ｂ”は前記突条部３１と凹陥部３２との嵌合により一体となっているので、一方の保持軸１９ａ”と他方の保持軸１９ｂ”との間で塗布方向へのずれが発生することがなく、睫毛に対して液体化粧料７”を均一且つ確実に塗布することができる。なお、保持軸１９ａ”、１９ｂ”の対向する表面に各々形成される突条部３１と凹陥部３２との嵌合による保持軸１９ａ”、１９ｂ”のずれ防止構造は、上記実施例１及び実施例２においても同様に適用できるものである。
ところで、実施例３における開閉機構では、蓋体８”対して上下動する釦部１７”は、第１６図において示すようにするものである。即ち、平面視において円形となる釦部１７”（尚、当該釦部１７”の表面は、釦部１７”を押勢する指が滑らぬよう、波打った形状となっている。）の蓋体８”側には、中央に略直方体形状の主脚片３３が設けられるとともに、該主脚片３３を中心として対向する位置に一対の補助脚片３４が形成されている。この主脚片３３は前記実施例１における脚部１７ａに相当し、主脚片３３裏面は、蓋体８”内部の内キャップに穿設された貫通孔を、弾性体のＯリングに密着しながら出没自在となる突起ピンに当接している。そして、一対の補助脚片３４と対向する主脚片３３の各側面末端には、縦断面視において主脚辺３３の各側面末端側へ向かって尖鋭となる係止突条３３ａが突設され、又、各補助脚片３４の内側面には、その中央に蓋体８”方向へ向かう縦リブ３４ｃが突設されるとともに、前記内側面末端には、縦断面視において補助脚片３４の各内側面末端側へ向かって尖鋭となる係止突条３４ａが突設されている。一方、蓋体８”表面には円形に凹部３５が穿設され、該凹部３５内には、前記各係止突条３３ａ、３４ａを除く主脚片３３と補助脚片３４の各断面形状となる穴部３５ａ、３５ｂが穿設されている。尚、該穴部３５ａ、３５ｂは、主脚片３３の挿嵌される穴部３５ａを中心として、補助脚片３４の挿嵌される２個の穴部３５ｂが蓋体８”の軸と直交する方向にそれぞれ穿設される。従って、釦部１７”と蓋体８”とは、釦部１７”の主脚片３３及び補助脚片３４を、その各係止突条３３ａ、３４ａを含めて蓋体８”の穴部３５ａ、３５ｂに対して挿嵌することで、両者は一体となるものである。その結果、蓋体８”に対して一体となった釦部１７”は、上下動に際して、釦部１７”の主脚片３３と補助脚片３４が蓋体８”に穿設された穴部３５ａ、３５ｂにより規制されて揺動しないので、円滑に出没することができるものとなる上、釦部１７”が蓋体８”から離脱しようとしても、主脚片３３及び補助脚片３４の末端側面に各々突設される係止突条３３ａ、３４ａが蓋体８”の内側面に係合するので、蓋体８”からの釦部１７”の脱落を防止することができる。なお、この釦部１７”と蓋体８”とは、上記実施例１及び実施例２においても同様に適用できるものである。
さらに実施例３における液体化粧料塗布容器１”において、該釦部１７”の主脚片３３と補助脚片３４側面に、尾栓９”方向に開口部を有する凹陥部３３ｂ、３４ｂをそれぞれ形成することにより、釦部１７”を押圧しつつ尾栓９”方向に摺動させることにより、該凹陥部３３ｂ、３４ｂと蓋体８”の穴部３５ａ、３５ｂ周縁とを係合させることができる。このため、実施例１及び実施例２と同様に、釦部１７”の主脚片３３と補助脚片３４は蓋体８”の穴部３５ａ、３５ｂ内に没入した状態で固定されるので、塗布具１６”は閉合状態で保持されることになる。この結果、塗布容器本体２”に対して、塗布具１６”をその根元部において固持する蓋体８”を脱着する際には、その塗布具１６”が邪魔にならず容易に行うことができる。また、塗布具１６”の使用に際しても、釦部１７”の主脚片３３と補助脚片３４の凹陥部３３ｂ、３４ｂと蓋体８”の穴部３５ａ、３５ｂ周縁とを係合させた状態とすることで、二個の塗布体片２１”，２２”間に睫毛を挟持した状態を保持することができる。その上、一方の塗布体片２１”の櫛部２７により液体化粧料を塗布する場合にも、他方の塗布体片２２”は一方の塗布体片２１”と一体となって塗布体２０”を形成しているので他所を汚損することがないものである。
実施例３における液体化粧料塗布容器１”は以上の構成を具えるので、使用者が液体化粧料を睫毛に塗布するにあたっては次のようにするものである。まず、使用者が液体化粧料塗布容器１”において、塗布容器本体２”と蓋体８”との雄ねじと雌ねじ１２”との螺合を解くことにより、蓋体８”を塗布容器本体２”から分離し、該蓋体８”にその根元部２８、２８’において固持された塗布具１６”を、内部に液体化粧料を貯留する塗布容器本体２”から引き抜くことができるようになる。その際、該蓋体８”に装着された釦部１７”を指で押圧することで、蓋体８”内の実施例１におけると同様の開閉機構により、二本の保持軸１９ａ”、１９ｂ”間に介装されたスプリングの弾性により拡開していた該保持軸１９ａ”、１９ｂ”は閉合することとなる。そして、蓋体８”にその根元部２８、２８’を固持された塗布具１６”を塗布容器本体２”から引き抜くことで、塗布具１６”の保持軸１９ａ”、１９ｂ”及び該保持軸１９ａ”、１９ｂ”先端に具えられ、一体となって塗布体２０”を形成してなる塗布体片２１”、２２”に過剰な液体化粧料が付着していても、塗布容器本体２”内に内装されるしごきにより過剰な液体化粧料は除去されるものとなる。
そして、上記塗布容器本体２”から分離させた蓋体８”において、指で押圧していた該蓋体８”の釦部１７”を再び開放すると、蓋体８”内の実施例１におけると同様の開閉機構により、該釦部１７”の主脚片３３の裏面に当接する突起ピンによって保持軸１９ｂ”が押勢されることにより圧縮されていた、保持軸１９ａ”、１９ｂ”間に介装されたスプリングが伸長し、保持軸１９ａ”、１９ｂ”は互いに離脱するため塗布具１６”は拡開し、一体であった塗布体２０”は塗布体片２１”、２２”に分割する。そこで、分割した塗布体片２１”、２２”間に睫毛を位置させつつ、蓋体８”の凹部３５より突出した釦部１７”を再び押圧して、該釦部１７”の主脚片３３によって突起ピンを、更には突起ピンによって保持軸１９ｂ”をそれぞれ押勢することによって、保持軸１９ａ”、１９ｂ”は介装するスプリングを圧縮しつつ閉合し、塗布体片２１”、２２”は一体となって塗布体２０”を形成するため、睫毛はその間に挟持される。なお、実施例１及び実施例２と同様に、睫毛に対する保持軸１９ａ”、１９ｂ”の位置関係は、使用者の都合によりいずれの保持軸１９ａ”、１９ｂ”が睫毛に対して上側となっても良いものである。その上で、該塗布体２０”を睫毛の毛先方向へ扱くことで、睫毛の表面に液体化粧料を塗布することができる。更に、塗布体２０”により液体化粧料を塗布した睫毛が互いに接着し、または更に液体化粧料を睫毛に塗布しようとするときには、指で蓋体８”の釦部１７”を押圧して保持軸１９ａ”、１９ｂ”を閉合したままで、塗布体２０”の櫛部２７を睫毛に当てて梳かすだけで、互いに接着していた睫毛を一本一本を解きほぐし、また更に迅速且つ確実に一本一本の睫毛に液体化粧料を塗布することができるものとなる。
一方、睫毛に対する液体化粧料の塗布作業が終了した後は、釦部１７”を押圧して蓋体８”の穴部３５ａ、３５ｂ内に釦部１７”の主脚片３３と補助脚片３４を没入させる。これにより、釦部１７”の主脚片３３は突起ピンを介して保持軸１９ｂ”を押勢し、塗布具１６”の保持軸１９ａ”、１９ｂ”を閉合させる。そのため、塗布容器本体２”と蓋体８”とを容易に一体にし、塗布具１６”を塗布容器本体２”内に収納することができるものとなる。
以上のように、実施例３においても、釦部１７”の主脚片３３と補助脚片３４が蓋体８”に設けられる穴部３５ａ、３５ｂに対して出没自在となっていることから、蓋体８”に設けられる穴部３５ａ、３５ｂと釦部１７”の主脚片３３及び補助脚片３４とのそれぞれの間には、幾分かの空間（隙間）が存在せざるをえない。この空間（隙間）から蓋体８”の内外に空気の流通が生じるが、実施例１において説明した蓋体８”内部に設けられる密閉機構により内キャップの内側は密閉された空間となり、前記空間（隙間）からの空気の流通を防止する。そのため、蓋体８”を塗布容器本体２”に密嵌した際に、蓋体８”に設けられる穴部３５ａ、３５ｂに生じるこの空間（隙間）を介しての、内キャップ内外、すなわち当該内キャップ内は塗布容器本体２”内部とも連通していることから、その内部空間全体と内キャップ外側との間の空気の流通を防止し、その内部の気密性を保持し、液体化粧料の品質の低下や外部への漏出を防止できることとなる。
【産業上の利用可能性】
【０００９】
液体化粧料を収容する液体化粧料塗布容器に具える塗布具を釦操作により開閉自在として、睫毛を挟持しつつ液体化粧料を塗布することができるとともに、該液体化粧料の保存に際して、蓋体内に内装する密閉機構により液体化粧料塗布容器内の密閉性を確実に維持して、該液体化粧料の品質の低下や外部への漏出を防止できるので、揮発性を有する成分を含有するマスカラやマスカラリムーバー等の液体化粧料を収容する液体化粧料塗布容器に適用することができる。
【図１】
2008072585.tif 000003
【図２】
2008072585.tif 000004
【図３】
2008072585.tif 000005
【図４】
2008072585.tif 000006
【図５】
2008072585.tif 000007
【図６】
2008072585.tif 000008
【図７】
2008072585.tif 000009
【図８】
2008072585.tif 000010
【図９】
2008072585.tif 000011
【図１０】
2008072585.tif 000012
【図１１】
2008072585.tif 000013
【図１２】
2008072585.tif 000014
【図１３】
2008072585.tif 000015
【図１４】
2008072585.tif 000016
【図１５】
2008072585.tif 000017
【図１６】
2008072585.tif 000018
【図１７】
2008072585.tif 000019
【図１８】
2008072585.tif 000020
【図１９】
2008072585.tif 000021
【図２０】
2008072585.tif 000022
【国際調査報告】
2008072585.tif 000023
2008072585.tif 000024
2008072585.tif 000025
2008072585.tif 000026